【事件の表示】
　特許第３１２１５７８号に関する訂正審判事件について、次のとおり審決する。
【結　論】
　特許第３１２１５７８号に係る明細書を本件審判請求書に添付された訂正明細書のとおり訂正することを認める。
【理　由】
１．手続の経緯
　本件特許第３１２１５７８号は、平成１２年１０月２０日に設定登録され、その後、有限会社マルゼンより特許無効の申立てがあって、無効２００４−３５０６３号として審理され、平成１６年６月２８日付で、「特許第３１２１５７８号の請求項１ないし５，７ないし１０，１２に係る発明についての特許を無効とする。特許第３１２１５７８号の請求項６，１１に係る発明についての審判請求は、成り立たない。」旨の審決がなされ、この審決は平成１６年８月９日に確定した。その後、平成１６年１０月２７日に本件訂正審判が請求された。
　
２．請求の趣旨
　本件訂正審判の請求の要旨は、特許第３１２１５７８号の明細書を審判請求書に添付した訂正明細書のとおり、即ち、下記（１）ないし（４８）のとおり訂正することを求めるものである。
　
　　（【特許請求の範囲】の記載の訂正）
（１）【請求項１】から【請求項５】まで，【請求項７】から【請求項１０】まで、及び、【請求項１２】を削除する。
　
（２）訂正請求前の【請求項６】が、請求項４または５に従属し、請求項５が請求項４に従属し、請求項４が請求項２または３に従属し、請求項３が請求項２に従属し、請求項２が請求項１に従属することに鑑み、訂正請求前の【請求項６】を四つの独立形式の請求項に書き改めて、それらを新たな【請求項１】から【請求項４】までとし、次のとおり訂正する。（下線部は、訂正明細書のとおりである。以下同様。）
「　【請求項１】ガス導出通路部が連結されて配される蓄圧室と、
　上記ガス導出通路部を開閉制御する開閉弁部と、
　バレル部の後端部分に設けられた装弾室と、
　上記バレル部に沿う方向に移動し得るものとされたスライダ部と、
　該スライダ部における上記バレル部の後方となる部分内に設けられ、上記スライダ部と一体的に移動する受圧部と、
　上記装弾室に向かって開口する第１の内部空間と上記受圧部に向かって開口する第２の内部空間とが形成されて上記装弾室の後方に配され、上記スライダ部の移動方向に沿う方向に移動可能とされた可動部材と、
　該可動部材の外部に配され、該可動部材の位置に応じて、上記ガス導出通路部を上記第１の内部空間及び第２の内部空間に連結する状態におかれる通路連結部と、
　該通路連結部内に配され、該通路連結部により上記ガス導出通路部が上記第１及び第２の内部空間に連結されるとともに上記開閉弁部が上記ガス導出通路部を開状態にする期間において、上記ガス導出通路部を通じた上記蓄圧室からのガスを上記第１の内部空間を通じて上記装弾室に供給された弾丸に作用させる第１の状態から、上記第１の内部空間に及ぼされる圧力低減に応じて移動し、上記ガス導出通路部を通じたガスの上記第１の内部空間を通じて上記装弾室に向かう流れを阻止して、上記ガス導出通路部を通じたガスを上記第２の内部空間を通じて上記受圧部に向かわせる第２の状態に移行し、該第２の状態のもとでガス圧により上記受圧部を上記スライダ部を伴って後方に移動させる可動弁部と、
を備えて構成され、
　上記スライダ部の後退に伴う上記可動部材の後退を生じさせて、弾倉から上記装弾室への弾丸の供給のための準備を行う
ものであって、
　
上記通路連結部が、上記可動部材の位置に応じて、上記ガス導出通路部を上記第１の内部空間に連結する第１の通路部と、上記可動部材の位置に応じて、上記ガス導出通路部を上記第２の内部空間に連結する第２の通路部とが設けられたものとされ、
　
上記可動弁部が、上記第１の状態にあるとき上記第１の通路部を開通状態となすとともに、上記第２の状態にあるとき上記第１の通路部を遮断状態となし、さらに、上記通路連結部内において上記第１の通路部を開通状態となす方向に付勢されており、上記第１の通路部に及ぼされる圧力低減に応じて、上記付勢に抗して上記第１の通路部を遮断状態となす方向に移動するものとされる
　　【請求項２】
ガス導出通路部が連結されて配される蓄圧室と、
　
上記ガス導出通路部を開閉制御する開閉弁部と、
　
バレル部の後端部分に設けられた装弾室と、
　
上記バレル部に沿う方向に移動し得るものとされたスライダ部と、
　
該スライダ部における上記バレル部の後方となる部分内に設けられ、上記スライダ部と一体的に移動する受圧部と、
　
上記装弾室に向かって開口する第１の内部空間と上記受圧部に向かって開口する第２の内部空間とが形成されて上記装弾室の後方に配され、上記スライダ部の移動方向に沿う方向に移動可能とされた可動部材と、
　
該可動部材の外部に配され、該可動部材の位置に応じて、上記ガス導出通路部を上記第１の内部空間及び第２の内部空間に連結する状態におかれる通路連結部と、
　
該通路連結部内に配され、該通路連結部により上記ガス導出通路部が上記第１及び第２の内部空間に連結されるとともに上記開閉弁部が上記ガス導出通路部を開状態にする期間において、上記ガス導出通路部を通じた上記蓄圧室からのガスを上記第１の内部空間を通じて上記装弾室に供給された弾丸に作用させる第１の状態から、上記第１の内部空間に及ぼされる圧力低減に応じて移動し、上記ガス導出通路部を通じたガスの上記第１の内部空間を通じて上記装弾室に向かう流れを阻止して、上記ガス導出通路部を通じたガスを上記第２の内部空間を通じて上記受圧部に向かわせる第２の状態に移行し、該第２の状態のもとでガス圧により上記受圧部を上記スライダ部を伴って後方に移動させる可動弁部と、
を備えて構成され、
　
上記スライダ部の後退に伴う上記可動部材の後退を生じさせて、弾倉から上記装弾室への弾丸の供給のための準備を行うものであって、
　
上記
上記
上記
記第
記第
、
　
上記可動弁部が、上記第１の状態にあるとき、上記ガス導出通路部を通じたガスを上記第１の通路部及び上記第１の内部空間を通じて上記装弾室に供給された弾丸に作用させるとともに、上記第２の状態にあるとき、上記ガス導出通路部を通じたガスを上記第２の通路部及び上記第２の内部空間を通じて上記受圧室に向かわせ、また、上記第１の状態にあるとき上記第１の通路部を開通状態となすとともに、上記第２の状態にあるとき上記第１の通路部を遮断状態となし、さらに、上記通路連結部内において上記第１の通路部を開通状態となす方向に付勢されており、上記第１の通路部に及ぼされる圧力低減に応じて、上記付勢に抗して上記第１の通路部を遮断状態となす方向に移動するものとされる
　　【請求項３】
ガス導出通路部が連結されて配される蓄圧室と、
　
上記ガス導出通路部を開閉制御する開閉弁部と、
　
バレル部の後端部分に設けられた装弾室と、
　
上記バレル部に沿う方向に移動し得るものとされたスライダ部と、
　
該スライダ部における上記バレル部の後方となる部分内に設けられ、上記スライダ部と一体的に移動する受圧部と、
　
上記装弾室に向かって開口する第１の内部空間と上記受圧部に向かって開口する第２の内部空間とが形成されて上記装弾室の後方に配され、上記スライダ部の移動方向に沿う方向に移動可能とされた可動部材と、
　
該可動部材の外部に配され、該可動部材の位置に応じて、上記ガス導出通路部を上記第１の内部空間及び第２の内部空間に連結する状態におかれる通路連結部と、
　
該通路連結部内に配され、該通路連結部により上記ガス導出通路部が上記第１及び第２の内部空間に連結されるとともに上記開閉弁部が上記ガス導出通路部を開状態にする期間において、上記ガス導出通路部を通じた上記蓄圧室からのガスを上記第１の内部空間を通じて上記装弾室に供給された弾丸に作用させる第１の状態から、上記第１の内部空間に及ぼされる圧力低減に応じて移動し、上記ガス導出通路部を通じたガスの上記第１の内部空間を通じて上記装弾室に向かう流れを阻止して、上記ガス導出通路部を通じたガスを上記第２の内部空間を通じて上記受圧部に向かわせる第２の状態に移行し、該第２の状態のもとでガス圧により上記受圧部を上記スライダ部を伴って後方に移動させる可動弁部と、
を備えて構成され、
　
上記スライダ部の後退に伴う上記可動部材の後退を生じさせて、弾倉から上記装弾室への弾丸の供給のための準備を行うものであって、
　
上記通路連結部が、上記可動部材の位置に応じて、上記ガス導出通路部を上記第１の内部空間に連結する第１の通路部と、上記可動部材の位置に応じて、上記ガス導出通路部を上記第２の内部空間に連結する第２の通路部とが設けられたものとされ、
　
上記
上記
上記第１の通路部を開通状態となす
上記
上記第１の通路部を遮断状態となし、また、上記第１の状態にあるとき及び上記第２の状態にあるときのいずれにおいても、上記第２の通路部を開通状態にしておき、さらに、上記通路連結部内において上記第１の通路部を開通状態となす方向に付勢されており、上記第１の通路部に及ぼされる圧力低減に応じて、上記付勢に抗して上記第１の通路部を遮断状態となす方向に移動するものとされる
　　【請求項４】
ガス導出通路部が連結されて配される蓄圧室と、
　
上記ガス導出通路部を開閉制御する開閉弁部と、
　
バレル部の後端部分に設けられた装弾室と、
　
上記バレル部に沿う方向に移動し得るものとされたスライダ部と、
　
該スライダ部における上記バレル部の後方となる部分内に設けられ、上記スライダ部と一体的に移動する受圧部と、
　
上記装弾室に向かって開口する第１の内部空間と上記受圧部に向かって開口する第２の内部空間とが形成されて上記装弾室の後方に配され、上記スライダ部の移動方向に沿う方向に移動可能とされた可動部材と、
　
該可動部材の外部に配され、該可動部材の位置に応じて、上記ガス導出通路部を上記第１の内部空間及び第２の内部空間に連結する状態におかれる通路連結部と、
　
該通路連結部内に配され、該通路連結部により上記ガス導出通路部が上記第１及び第２の内部空間に連結されるとともに上記開閉弁部が上記ガス導出通路部を開状態にする期間において、上記ガス導出通路部を通じた上記蓄圧室からのガスを上記第１の内部空間を通じて上記装弾室に供給された弾丸に作用させる第１の状態から、上記第１の内部空間に及ぼされる圧力低減に応じて移動し、上記ガス導出通路部を通じたガスの上記第１の内部空間を通じて上記装弾室に向かう流れを阻止して、上記ガス導出通路部を通じたガスを上記第２の内部空間を通じて上記受圧部に向かわせる第２の状態に移行し、該第２の状態のもとでガス圧により上記受圧部を上記スライダ部を伴って後方に移動させる可動弁部と、
を備えて構成され、
　
上記スライダ部の後退に伴う上記可動部材の後退を生じさせて、弾倉から上記装弾室への弾丸の供給のための準備を行うものであって、
　
上記通路連結部が、上記可動部材の位置に応じて、上記ガス導出通路部を上記第１の内部空間に連結する第１の通路部と、上記可動部材の位置に応じて、上記ガス導出通路部を上記第２の内部空間に連結する第２の通路部とが設けられたものとされ、
　
上記
上記第１の状態にあるとき、上記ガス導出通路部を通じたガスを上記第１の通路部及び上記第１の内部空間を通じて上記装弾室に供給された弾丸に作用させるとともに、上記第２の状態にあるとき、上記ガス導出通路部を通じたガスを上記第２の通路部及び上記第２の内部空間を通じて上記受圧室に向かわせ、また、上記
上記
上記
し、さらに、上記第１の状態にあるとき及び上記第２の状態にあるときのいずれにおいても、上記第２の通路部を開通状態にしておくとともに、上記通路連結部内において上記第１の通路部を開通状態となす方向に付勢されており、上記第１の通路部に及ぼされる圧力低減に応じて、上記付勢に抗して上記第１の通路部を遮断状態となす方向に移動するものとされる
　
（３）訂正請求前の【請求項１１】が、請求項９または１０に従属し、請求項１０が請求項９に従属し、請求項９が請求項７または８に従属し、請求項８が請求項７に従属し、請求項７が請求項１に従属することに鑑み、訂正請求前の【請求項１１】を四つの独立形式の請求項に書き改めて、それらを新たな【請求項５】から【請求項８】までとし、次のとおり訂正する。
「　【請求項５】
ガス導出通路部が連結されて配される蓄圧室と、
　
上記ガス導出通路部を開閉制御する開閉弁部と、
　
バレル部の後端部分に設けられた装弾室と、
　
上記バレル部に沿う方向に移動し得るものとされたスライダ部と、
　
該スライダ部における上記バレル部の後方となる部分内に設けられ、上記スライダ部と一体的に移動する受圧部と、
　
上記装弾室に向かって開口する第１の内部空間と上記受圧部に向かって関口する第２の内部空間とが形成されて上記装弾室の後方に配され、上記スライダ部の移動方向に沿う方向に移動可能とされた可動部材と、
　
該可動部材の外部に配され、該可動部材の位置に応じて、上記ガス導出通路部を上記第１の内部空間及び第２の内部空間に連結する状態におかれる通路連結部と、
　
該通路連結部内に配され、該通路連結部により上記ガス導出通路部が上記第１及び第２の内部空間に連結されるとともに上記開閉弁部が上記ガス導出通路部を開状態にする期間において、上記ガス導出通路部を通じた上記蓄圧室からのガスを上記第１の内部空間を通じて上記装弾室に供給された弾丸に作用させる第１の状態から、上記第１の内部空間に及ぼされる圧力低減に応じて移動し、上記ガス導出通路部を通じたガスの上記第１の内部空間を通じて上記装弾室に向かう流れを阻止して、上記ガス導出通路部を通じたガスを上記第２の内部空間を通じて上記受圧部に向かわせる第２の状態に移行し、該第２の状態のもとでガス圧により上記受圧部を上記スライダ部を伴って後方に移動させる可動弁部と、
を備えて構成され、
　
上記スライダ部の後退に伴う上記可動部材の後退を生じさせて、弾倉から上記装弾室への弾丸の供給のための準備を行うものであって、
　
上記通路連結部が、上記可動部材の位置に応じて、上記ガス導出通路部を上記第１の内部空間及び第２の内部空間の夫々に連結する、該第１及び第２の内部空間に共通の連結空間が形成されたものとされ、
　
上記
上記
上記第１の内部空間を開通状態となすとともに、上記
上記第１の内部空間を遮断状態となし、さらに、上記通路連結部内において上記第１の内部空間を開通状態となす方向に付勢されており、上記第１の内部空間に及ぼされる圧力低減に応じて、上記付勢に抗して上記第１の内部空間を遮断状態となす方向に移動するものとされる
　　【請求項６】
ガス導出通路部が連結されて配される蓄圧室と、
　
上記ガス導出通路部を開閉制御する開閉弁部と、
　
バレル部の後端部分に設けられた装弾室と、
　
上記バレル部に沿う方向に移動し得るものとされたスライダ部と、
　
該スライダ部における上記バレル部の後方となる部分内に設けられ、上記スライダ部と一体的に移動する受圧部と、
　
上記装弾室に向かって開口する第１の内部空間と上記受圧部に向かって開口する第２の内部空間とが形成されて上記装弾室の後方に配され、上記スライダ部の移動方向に沿う方向に移動可能とされた可動部材と、
　
該可動部材の外部に配され、該可動部材の位置に応じて、上記ガス導出通路部を上記第１の内部空間及び第２の内部空間に連結する状態におかれる通路連結部と、
　
該通路連結部内に配され、該通路連結部により上記ガス導出通路部が上記第１及び第２の内部空間に連結されるとともに上記開閉弁部が上記ガス導出通路部を開状態にする期間において、上記ガス導出通路部を通じた上記蓄圧室からのガスを上記第１の内部空間を通じて上記装弾室に供給された弾丸に作用させる第１の状態から、上記第１の内部空間に及ぼされる圧力低減に応じて移動し、上記ガス導出通路部を通じたガスの上記第１の内部空間を通じて上記装弾室に向かう流れを阻止して、上記ガス導出通路部を通じたガスを上記第２の内部空間を通じて上記受圧部に向かわせる第２の状態に移行し、該第２の状態のもとでガス圧により上記受圧部を上記スライダ部を伴って後方に移動させる可動弁部と、
を備えて構成され、
　
上記スライダ部の後退に伴う上記可動部材の後退を生じさせて、弾倉から上記装弾室への弾丸の供給のための準備を行うものであって、
　
上記通路連結部が、上記可動部材の位置に応じて、上記ガス導出通路部を上記第１の内部空間及び第２の内部空間の夫々に連結する、該第１及び第２の内部空間に共通の連結空間が形成されたものとされ、
　
上記
上記第１の状態にあるとき、上記ガス導出通路部を通じたガスを上記連結空間及び上記第１の内部空間を通じて上記装弾室に供給された弾丸に作用させるとともに、上記第２の状態にあるとき、上記ガス導出通路部を通じたガスを上記連結空間及び上記第２の内部空間を通じて上記受圧室に向かわせ、また、上記第１の状態にあるとき上記第１の内部空間を開通状態となすとともに、上記第２の状態にあるとき上記第１の内部空間を遮断状態となし、さらに、上記
上記第１の内部空間
上記第１の内部空間
上記第１の内部空間
ものとされる
　　【請求項７】
ガス導出通路部が連結されて配される蓄圧室と、
　
上記ガス導出通路部を開閉制御する開閉弁部と、
　
バレル部の後端部分に設けられた装弾室と、
　
上記バレル部に沿う方向に移動し得るものとされたスライダ部と、
　
該スライダ部における上記バレル部の後方となる部分内に設けられ、上記スライダ部と一体的に移動する受圧部と、
　
上記装弾室に向かって開口する第１の内部空間と上記受圧部に向かって開口する第２の内部空間とが形成されて上記装弾室の後方に配され、上記スライダ部の移動方向に沿う方向に移動可能とされた可動部材と、
　
該可動部材の外部に配され、該可動部材の位置に応じて、上記ガス導出通路部を上記第１の内部空間及び第２の内部空間に連結する状態におかれる通路連結部と、
　
該通路連結部内に配され、該通路連結部により上記ガス導出通路部が上記第１及び第２の内部空間に連結されるとともに上記開閉弁部が上記ガス導出通路部を開状態にする期間において、上記ガス導出通路部を通じた上記蓄圧室からのガスを上記第１の内部空間を通じて上記装弾室に供給された弾丸に作用させる第１の状態から、上記第１の内部空間に及ぼされる圧力低減に応じて移動し、上記ガス導出通路部を通じたガスの上記第１の内部空間を通じて上記装弾室に向かう流れを阻止して、上記ガス導出通路部を通じたガスを上記第２の内部空間を通じて上記受圧部に向かわせる第２の状態に移行し、該第２の状態のもとでガス圧により上記受圧部を上記スライダ部を伴って後方に移動させる可動弁部と、
を備えて構成され、
　
上記スライダ部の後退に伴う上記可動部材の後退を生じさせて、弾倉から上記装弾室への弾丸の供給のための準備を行うものであって、
　
上記
上記
上記
記第
、
　
上記可動弁部が、上記第１の状態にあるとき上記第１の内部空間を開通状態となすとともに、上記第２の状態にあるとき上記第１の内部空間を遮断状態となし、また、上記第１の状態にあるとき及び第２の状態にあるときのいずれにおいても、上記第２の内部空間を開通状態にしておき、さらに、上記通路連結部内において上記第１の内部空間を開通状態となす方向に付勢されており、上記第１の内部空間に及ぼされる圧力低減に応じて、上記付勢に抗して上記第１の内部空間を遮断状態となす方向に移動するものとされる
　　【請求項８】
ガス導出通路部が連結されて配される蓄圧室と、
　
上記ガス導出通路部を開閉制御する開閉弁部と、
　
バレル部の後端部分に設けられた装弾室と、
　
上記バレル部に沿う方向に移動し得るものとされたスライダ部と、
　
該スライダ部における上記バレル部の後方となる部分内に設けられ、上記スライダ部と一体的に移動する受圧部と、
　
上記装弾室に向かって開口する第１の内部空間と上記受圧部に向かって開口する第２の内部空間とが形成されて上記装弾室の後方に配され、上記スライダ部の移動方向に沿う方向に移動可能とされた可動部材と、
　
該可動部材の外部に配され、該可動部材の位置に応じて、上記ガス導出通路部を上記第１の内部空間及び第２の内部空間に連結する状態におかれる通路連結部と、
　
該通路連結部内に配され、該通路連結部により上記ガス導出通路部が上記第１及び第２の内部空間に連結されるとともに上記開閉弁部が上記ガス導出通路部を開状態にする期間において、上記ガス導出通路部を通じた上記蓄圧室からのガスを上記第１の内部空間を通じて上記装弾室に供給された弾丸に作用させる第１の状態から、上記第１の内部空間に及ぼされる圧力低減に応じて移動し、上記ガス導出通路部を通じたガスの上記第１の内部空間を通じて上記装弾室に向かう流れを阻止して、上記ガス導出通路部を通じたガスを上記第２の内部空間を通じて上記受圧部に向かわせる第２の状態に移行し、該第２の状態のもとでガス圧により上記受圧部を上記スライダ部を伴って後方に移動させる可動弁部と、
を備えて構成され、
　
上記スライダ部の後退に伴う上記可動部材の後退を生じさせて、弾倉から上記装弾室への弾丸の供給のための準備を行うものであって、
　
上記通路連結部が、上記可動部材の位置に応じて、上記ガス導出通路部を上記第１の内部空間及び第２の内部空間の夫々に連結する、該第１及び第２の内部空間に共通の連結空間が形成されたものとされ、
　
上記
上記
上記
上記
上記
上記
上記
記連
記第
上記
、また、上記第１の状態にあるとき上記第１の内部空間を開通状態となすとともに、上記第２の状態にあるとき上記第１の内部空間を遮断状態となし、さらに、上記第１の状態にあるとき及び第２の状態にあるときのいずれにおいても、上記第２の内部空間を開通状態にしておくとともに、上記通路連結部内において上記第１の内部空間を開通状態となす方向に付勢されており、上記第１の内部空間に及ぼされる圧力低減に応じて、上記付勢に抗して上記第１の内部空間を遮断状態となす方向に移動するものとされる
　
（４）訂正請求前の【請求項１３】を新たな【請求項９】とし、「請求項
１から請求項１１までのいずれかに
１から請求項８までのいずれかに
　
（５）訂正請求前の【請求項１４】を新たな【請求項１０】とし、「請求項
１３
　
（６）訂正請求前の【請求項１５】を新たな【請求項１１】とし、「請求項１から請求項
１１
１から請求項８までのいずれかに
　
（７）訂正請求前の【請求項１６】を新たな【請求項１２】とし、「請求項１５記載の」を、「請求項
１１
　
（８）訂正請求前の【請求項１７】を新たな【請求項１３】とし、「請求項
１６
１２
　
　　（【発明の詳細な説明】の記載の訂正）
（９）段落【０００７】を、次のとおり訂正する。
「【課題を解決するための手段】
　本願の特許請求の範囲における請求項１から請求項１３までのいずれかに記載された発明に係る自動弾丸供給機構付玩具銃は、ガス導出通路部が連結されて配される蓄圧室と、ガス導出通路部を開閉制御する開閉弁部と、バレル部の後端部分に設けられた装弾室と、バレル部に沿う方向に移動し得るものとされたスライダ部と、スライダ部におけるバレル部の後方となる部分内に設けられ、スライダ部と一体的に移動する受圧部と、装弾室に向かって開口する第１の内部空間と受圧部に向かって開口する第２の内部空間とが形成されて装弾室の後方に配され、スライダ部の移動方向に沿う方向に移動可能とされた可動部材と、可動部材の外部に配され、可動部材の位置に応じて、ガス導出通路部を可動部材における第１の内部空間及び第２の内部空間に連結する状態におかれる通路連結部と、通路連結部内に配され、通路連結部によりガス導出通路部が可動部材における第１及び第２の内部空間に連結されるとともに開閉弁部がガス導出通路部を開状態にする期間において、ガス導出通路部を通じたガスを可動部材における第１の内部空間を通じて装弾室に供給された弾丸に作用させる第１の状態から、可動部材における第１の内部空間に及ぼされる圧力低減に応じて移動し、ガス導出通路部を通じたガスの可動部材における第１の内部空間を通じて装弾室に向かう流れを阻止して、ガス導出通路部を通じたガスを可動部材における第２の内部空間を通じて受圧部に向かわせる第２の状態に移行し、その第２の状態のもとでガス圧により受圧部をスライダ部を伴って後方に移動させる可動弁部とを備えて構成され、スライダ部の後退に伴う可動部材の後退を生じさせて、弾倉から装弾室への弾丸の供給のための準備を行うものであって、通路連結部が、可動部材の位置に応じて、ガス導出通路部を可動部材における第１の内部空間に連結する第１の通路部と、可動部材の位置に応じて、ガス導出通路部を可動部材における第２の内部空間に連結する第２の通路部とが設けられたもの、もしくは、可動部材の位置に応じて、ガス導出通路部を可動部材における第１の内部空間及び第２の内部空間の夫々に連結する、第１及び第２の内部空間に共通の連結空間が形成されたものとされ、さらに、可動弁部が、第１の状態にあるとき通路連結部における第１の通路部を開通状態となすとともに、第２の状態にあるとき通路連結部における第１の通路部を遮断状態となし、また、通路連結部内において第１の通路部を開通状態となす方向に付勢されており、通路連結部における第１の通路部に及ぼされる圧力低減に応じて、付勢に抗して通路連結部における第１の通路部を遮断状態となす方向に移動するもの、もしくは、第１の状態にあるとき可動部材における第１の内部空間を開通状態となすとともに、第２の状態にあるとき可動部材における第１の内部空間を遮断状態となし、また、通路連結部内において可動部材における第１の内部空間を開通状態となす方向に付勢されており、可動部材における第１の内部空間に及ぼされる圧力低減に応じて、付勢に抗して可動部材における第１の内部空間を遮断状態となす方向に移動するもの、とされる。」
　
（１０）段落【０００８】から段落【００１１】までを削除する。
　
（１１）訂正請求前の段落【００１２】を新たな段落【０００８】とし、「請求項
１３
１４
　
（１２）訂正請求前の段落【００１３】を新たな段落【０００９】とし、「請求項
１５
１７
　
（１３）訂正請求前の段落【００１４】を新たな段落【００１０】とし、次のとおり訂正する。
「上述の如くに構成される本願の特許請求の範囲における請求項１から請求項１３までのいずれかに記載された発明に係る自動弾丸供給機構付玩具銃にあっては、蓄圧室に連結されたガス導出通路部を開状態もしくは閉状態となす開閉弁部と、可動部材の位置に応じて、ガス導出通路部を可動部材の第１及び第２の内部空間に連結する通路連結部内に、第１の通路部もしくは第１の内部空間を開通状態となす方向に付勢されて配されて、ガス導出通路部を通じた蓄圧室からのガスを可動部材の第１の内部空間を通じて装弾室に供給された弾丸に作用させる第１の状態と、ガス導出通路部を通じた蓄圧室からのガスの可動部材の第１の内部空間を通じて装弾室に向かう流れを阻止して、ガス導出通路部を通じた蓄圧室からのガスを可動部材の第２の内部空間を通じて受圧部に向かわせる第２の状態とをとり、開閉弁部がガス導出通路部を開状態にする期間において、第１の状態から、可動部材の第１の内部空間に及ぼされる圧力低減に応じて、第１の通路部もしくは第１の内部空間を開通状態となす方向の付勢に抗して第１の通路部もしくは第１の内部空間を遮断状態となす方向に移動して第２の状態に移行し、その第２の状態のもとでガス圧により受圧部をスライダ部を伴って後方に移動させる可動弁部と、を主要構成要素として、蓄圧室から導出されるガスを制御するガス制御手段が構成されることになる。このような開閉弁部及び可動弁部を含んで構成されるガス制御手段は、その全体が比較的小規模で構成が簡略化されたものとされ、玩具銃本体における配置スペースの確保が容易なものとされる。しかも、ガス導出通路部を通じた蓄圧室からのガスの、装弾室に供給された弾丸及びスライダ部と一体的に移動する受圧部への作用状態が、１個の可動弁部により制御されるので、可動弁部の配置に関しての制約が大幅に軽減されることになる。」
　
（１４）訂正請求前の段落【００１５】を新たな段落【００１１】とし、「請求項２に記載された」を、「請求項１から請求項４までのいずれかに記載された」と訂正する。
　
（１５）訂正請求前の段落【００１６】を新たな段落【００１２】とし、次のとおり訂正する。
「さらに、本願の特許請求の範囲における請求項１から請求項４までのいずれかに記載された発明に係る自動弾丸供給機構付玩具銃にあっては、可動弁部が、それが第１の状態にあるときには開状態とした第１の通路部を、第２の状態にあるときには遮断状態となすものとされることにより、可動弁部が第２の状態にあるとき、蓄圧室からのガスの第１の通路部への流れが確実に阻止され、蓄圧室からのガスが効果的に受圧部に作用して、スライダ部を伴っての受圧部の後方への移動が迅速に行われる。」
　
（１６）訂正請求前の段落【００１７】を新たな段落【００１３】とし、「請求項
７
　
（１７）訂正請求前の段落【００１８】を新たな段落【００１４】とし、「請求項
１２
１７
　
（１８）訂正請求前の段落【００１９】を新たな段落【００１５】とし、「請求項１から請求項
６
１２
　
（１９）訂正請求前の段落【００２０】ないし【００４６】を、新たな段落【００１６】ないし【００４２】に繰り上げる訂正をする。
　
（２０）訂正請求前の段落【００４７】を新たな段落【００４３】とし、「請求項１から請求項
６
１２
　
（２１）訂正請求前の段落【００４８】ないし【００６９】を、新たな段落【００４４】ないし【００６５】に繰り上げる訂正をする。
　
（２２）訂正請求前の段落【００７０】を新たな段落【００６６】とし、「請求項
７
１２
　
（２３）訂正請求前の段落【００７１】ないし【００９１】を、新たな段落【００６７】ないし【００８７】に繰り上げる訂正をする。
　
（２４）訂正請求前の段落【００９２】を新たな段落【００８８】とし、「請求項
１３
１４
　
（２５）訂正請求前の段落【００９３】ないし【００９９】を、新たな段落【００８９】ないし【００９５】に繰り上げる訂正をする。
　
（２６）訂正請求前の段落【０１００】を新たな段落【００９６】とし、「請求項
１３
１４
　
（２７）訂正請求前の段落【０１０１】を新たな段落【００９７】とし、「請求項
１３
１４
　
（２８）訂正請求前の段落【０１０２】ないし【０１０８】を、新たな段落【００９８】ないし【０１０４】に繰り上げる訂正をする。
　
（２９）訂正請求前の段落【０１０９】を新たな段落【０１０５】とし、「請求項
１３
１４
　
（３０）訂正請求前の段落【０１１０】を新たな段落【０１０６】とし、「請求項
１５
１７
　
（３１）訂正請求前の段落【０１１１】ないし【０１１７】を、新たな段落【０１０７】ないし【０１１３】に繰り上げる訂正をする。
　
（３２）訂正請求前の段落【０１１８】を新たな段落【０１１４】とし、「請求項
１５
１７
　
（３３）訂正請求前の段落【０１１９】を新たな段落【０１１５】とし、「請求項
１５
１７
　
（３４）訂正請求前の段落【０１２０】ないし【０１２６】を、新たな段落【０１１６】ないし【０１２２】に繰り上げる訂正をする。
　
（３５）訂正請求前の段落【０１２７】を新たな段落【０１２３】とし、「請求項
１５
１７
　
（３６）訂正請求前の段落【０１２８】を新たな段落【０１２４】とし、「請求項１〜請求項
６
１２
６
７
１２
１３
１４
１５
１７
　
（３７）訂正請求前の段落【０１２９】を新たな段落【０１２５】とし、次のとおり訂正する。
「　【発明の効果】
　以上の説明から明らかな如くに、本願の特許請求の範囲における請求項１から請求項１３までのいずれかに記載された発明に係る自動弾丸供給機構付玩具銃によれば、蓄圧室に連結されたガス導出通路部を開状態もしくは閉状態となす開閉弁部と、可動部材の位置に応じてガス導出通路部を可動部材における第１及び第２の内部空間に連結する通路連結部内に、第１の通路部もしくは第１の内部空間を開通状態となす方向に付勢されて配されて、ガス導出通路部を通じた蓄圧室からのガスを可動部材における第１の内部空間を通じて装弾室に供給された弾丸に作用させる第１の状態と、ガス導出通路部を通じた蓄圧室からのガスの可動部材における第１の内部空間を通じて装弾室に向かう流れを阻止して、ガス導出通路部を通じた蓄圧室からのガスを可動部材における第２の内部空間を通じて受圧部に向かわせる第２の状態とをとり、開閉弁部がガス導出通路部を開状態にする期間において、第１の状態から、可動部材における第１の内部空間に及ぼされる圧力低減に応じて、第１の通路部もしくは第１の内部空間を開通状態となす方向の付勢に抗して第１の通路部もしくは第１の内部空間を遮断状態となす方向に移動して第２の状態に移行し、その第２の状態のもとでガス圧により受圧部をスライダ部を伴って後方に移動させる可動弁部と、を主要構成要素として、蓄圧室から導出されるガスを制御するガス制御手段が構成されることになるので、ガス制御手段が、その全体が比較的小規模で構成が簡略化されたものとされ、玩具銃本体における配置スペースの確保が容易なものとされる。しかも、ガス導出通路部を通じた蓄圧室からのガスの、装弾室に供給された弾丸及びスライダ部と一体的に移動する受圧部への作用状態が、１個の可動弁部により制御されるので、可動弁部の配置に関しての制約が大幅に軽減されることになる。」
　
（３８）訂正請求前の段落【０１３０】を新たな段落【０１２６】とし、「請求項２に記載された」を、「請求項１から請求項４までのいずれかに記載された」と訂正する。
　
（３９）訂正請求前の段落【０１３１】を新たな段落【０１２７】とし、次のとおり訂正する。
「また、本願の特許請求の範囲における請求項１から請求項４までのいずれかに記載された発明に係る自動弾丸供給機構付玩具銃によれば、可動弁部が、それが第１の状態にあるときには開通状態とした第１の通路部を、第２の状態にあるときには遮断状態となすものとされることにより、可動弁部が第２の状態にあるとき、蓄圧室からのガスの第１の通路部への流れが確実に阻止され、蓄圧室からのガスが効果的に受圧部に作用して、スライダ部を伴っての受圧部の後方への移動が迅速に行われることになる。」
　
（４０）訂正請求前の段落【０１３２】を新たな段落【０１２８】とし、「請求項
７
　
（４１）訂正請求前の段落【０１３３】を新たな段落【０１２９】とし、「請求項
１２
１７
　
　　（【図面の簡単な説明】の記載の訂正）
（４２）段落【図１】の、「請求項１から請求項
６
１２
　
（４３）段落【図２】の、「請求項１から請求項
６
１２
　
（４４）段落【図１２】の、「請求項
７
１２
　
（４５）段落【図１４】の、「請求項
１３
１４
　
（４６）段落【図１６】の、「請求項
１３
１４
　
（４７）段落【図１８】の、「請求項
１５
１７
　
（４８）段落【図２０】の、「請求項
１５
１７
　
３．当審の判断
  上記各訂正について、その訂正の目的等の適否を検討する。
（ａ）訂正の目的（特許法第１２６条第１項の要件）について
　上記（１）の訂正は、特許請求の範囲の【請求項１】から【請求項５】まで，【請求項７】から【請求項１０】まで、及び、【請求項１２】の請求項を削除するものであるから、特許請求の範囲の滅縮を目的とするものである。
　
　上記（２）及び（３）の訂正は、従属形式の【請求項６】及び【請求項１１】を、各々四つの独立形式の請求項に書き改めて、【請求項１】ないし【請求項８】に繰り上げたものであるから、明りょうでない記載の釈明を目的とするものである。なお、上記（２）及び（３）の訂正において、【請求項１】に記載されていた「上記スライダを伴って」を、書き改めた各々四つの独立形式の請求項において「上記スライダ部を伴って」とする訂正については、単なる誤記の訂正を目的とするものである。
　
　また、上記（４）ないし（８）の訂正は、従属形式の【請求項１３】ないし【請求項１７】を、【請求項９】ないし【請求項１３】に繰り上げると共に、減縮された請求項を引用しようとするものであり、明りょうでない記載の釈明及び特許請求の範囲の滅縮を目的とするものである。
　
　上記（９）ないし（４８）の訂正は、上記（１）ないし（８）の訂正に伴い、特許請求の範囲と、発明の詳細な説明及び図面の簡単な説明とを整合させる、明りょうでない記載の釈明を目的とするものである。
　
（ｂ）新規事項（特許法第１２６条第３項の要件）について
　上記（１）ないし（４８）の訂正は、願書に添付した明細書又は図面に記載した事項の範囲内において訂正しようとするものである。
　
（ｃ）特許請求の範囲の拡張・変更（特許法第１２６条第４項の要件）について
  そして、上記（１）ないし（４８）の訂正が、実質上特許請求の範囲を拡張し、又は変更するものであるとの事情は認められない。
　
（ｄ）独立特許要件（特許法第１２６条第５項の要件）について
  （ａ）で検討したとおり、上記（２）ないし（８）の訂正は、特許法第１２６条第１項第１号又は第２号に掲げる事項を目的とする訂正であるから、当該訂正に係る発明が、特許出願の際独立して特許を受けることができるものであるか否かを検討すると、訂正後における特許請求の範囲の請求項１ないし１３に記載されている事項により構成される発明が、特許出願の際独立して特許を受けることができないとする理由は見当たらない。
　
４．むすび
　以上のとおり、無効審判の審決確定後においてなされた、本件審判の請求は、特許法第１２６条第１項第１号ないし第３号に掲げる事項を目的とし、かつ、同条第３項ないし第５項の規定に適合する。
　よって、結論のとおり審決する。